(57)【要約】      （修正有）【課題】品種改良によることなく、低コストにてそれまでの自然な葉の色を変更し、新たな外観を呈する植物を提供する。【解決手段】容器に植えられた植物であって、少なくとも葉２３の全部又は一部は、該植物の根から吸水された植物用着色液により葉脈部分２３ｄが着色されてなる。前記植物は、アイビーであり、このアイビーの葉２３の外側に形成され本来的な白色ないし黄色部分２３ｃが、前記植物用着色液により葉脈部分２３ｄが着色されてなる。【選択図】図２
0003147153.tif 000002
【実用新案登録請求の範囲】
【請求項１】
容器に植えられた植物であって、少なくとも葉の全部又は一部は、該植物の根又は地下茎から吸水された植物用着色液により葉脈部分が着色されてなることを特徴とする植物。
【請求項２】
前記植物は、アイビーであり、このアイビーの葉に形成され本来的な白色ないし黄色部分が、前記植物用着色液により葉脈部分が着色されてなることを特徴とする請求項１記載の植物。
【考案の詳細な説明】
【技術分野】
【０００１】
本考案は、例えば、ポット，鉢等の容器に植えられて販売される植物に関するものである。
【背景技術】
【０００２】
言うまでも無く、植物は、根，茎，葉などから構成され、観葉植物として、ポットや鉢等に植えられた状態で販売されている。こうした植物は、その天然の色が外観として視認され、比較的小さな植物では、テーブルその他の家具などに載置された状態で観賞に供されたり、ポット等に植えられたままの状態で屋外に載置され、又は別個の鉢や土壌に植え替えられたりするなどして観賞に供されている。
【０００３】
他方、こうした植物は、葉や茎の色をそれまでの色とは異なる色に品種改良される場合もあるが、こうした品種改良を実現させるためには、開発者の専門的な知識や技術が必要となるばかりか、多額の費用が必要であり、また、その開発・育成のための苦労は長期間に及ぶ。
【考案の開示】
【考案が解決しようとする課題】
【０００４】
そこで、本考案は、上述した品種改良によることなく、低コストにてそれまでの自然な葉の色を変更し、新たな外観を呈する植物を提供することを目的とするものである。
【課題を解決するための手段】
【０００５】
上述した目的を達成するため、第１の考案（請求項１記載の考案）は、容器に植えられた植物であって、少なくとも葉の全部又は一部は、該植物の根又は地下茎から吸水された植物用着色液により葉脈部分が着色されてなることを特徴とするものである。
【０００６】
なお、上記容器は、植物が植えられているものであれば、ポット、鉢などその名称を問わない。また、この第１の考案において、上記植物は、少なくとも茎，葉を供えているものであれば良く、必ずしも花や果実等を供えているものである必要は無い。
【０００７】
また、この考案を構成する上記植物着色液とは、根又は地下茎から吸水されることにより、植物の花や葉が着色される液体であり、パレス化学株式会社製の切花着色液を使用することができる。なお、上記植物着色液の色は、赤、青、黄色その他、植物の自然の色との関係や着色性との関係で適宜決定すればよい。
【０００８】
また、第２の考案（請求項２記載の考案）は、上記第１の考案において、前記植物は、アイビーであり、このアイビーの葉の外側に形成され本来的な白色ないし黄色部分の葉脈が、前記植物用着色液により着色されてなることを特徴とするものである。
【０００９】
この第２の考案に係る植物としてのアイビーは、その葉の色の特徴として、緑色又は黄緑色とされた部分と、この部分の周囲には、白色ないし黄色又はそれらに近い色（上記緑色又は黄緑色とされた部分よりも白に近い色）とされてなる部分が形成されており、こうした色とされた部分の葉脈が植物着色液により着色されているものである。
【考案の効果】
【００１０】
上記第１の考案（請求項１記載の考案）では、少なくとも葉の全部又は一部は、該植物の根又は地下茎から吸水された植物用着色液により着色され、それまでの自然の色とは異なる外観を呈し、こうした概観は、品種改良によるものではないことから、専門的な知識や技術が必要とはならず、低価格で量産することができる。
【００１１】
また、第２の考案（請求項２記載の考案）では、葉の外側に形成された白色ないし黄色部分が、前記植物用着色液により着色されてなることから、植物着色液の色がより鮮明に表れ、商品価値が高いものとすることができる。
【考案を実施するための最良の形態】
【００１２】
以下、本考案を実施するための最良の形態を、図面を参照しながら詳細に説明する。
【００１３】
この実施の形態に係る植物は、図１に示すように、植木鉢１と、この植木鉢１に図示しない土とともに植えられたアイビー２とから構成されている。上記アイビー２は、茎２１と、上記土中に張った図示ない根と、上記茎２１の中途部からそれぞれ葉柄２２を介して形成された葉２３とから構成されている。そして、この実施の形態に係るアイビー２（学名：Ｈｅｄｅｒａ  Ｌ，和名：ヘデラ）は、ヘリックス種に係るものであって、上記各葉２３は、それぞれ濃い緑色とされた第１の部位２３ａと、この第１の部位２３ａよりもやや薄い緑色とされた第２の部位２３ｂと、桃色とされた第３の部位２３ｃとから構成されている。なお、上記第３の部位２３ｃは、アイビー２の本来的な色（自然の色）が白色ないし黄色の外観を有してなる部位であり、また、この第３の部位２３ｃは、全てが桃色とされているのではなく、多数の葉脈部分２３ｄが桃色とされており、全体として桃色の外観を呈している。
【００１４】
以下、こうした植物（アイビー）２の生産方法を詳細に説明する。
【００１５】
先ず、長期間に亘って生育された図示しないアイビーの枝を、約１〜２ｃｍに切り、これをポットに充填された用土に刺し、いわゆるさし木を行う。このさし木をした時点から、約２〜３か月間生育させ、この生育したアイビーを上記ポットから抜き出し、根等に付着した用土を洗い落とす。
【００１６】
そして、上記用土を洗い落とす工程が終了すると、次いで、上記アイビーを、植物用着色液が充填された容器内に、該アイビーの地下茎及び根全体を浸す。なお、上記植物着色液は、パレス化学株式会社の製造販売に係る商品名「ファンタジー」の「ピンク」を使用する。なお、上記植物用着色液にアイビーの地下茎を浸す時間は、８時間〜１０時間とする。こうして、アイビーの地下茎及び根全体を浸すと、上記植物着色液は、根から給水され、やがて葉２３に形成された葉脈２３ｄに達するとともに、該葉脈２３ｄが桃色に変色（着色）される。とりわけ、こうした桃色への変色は、濃い緑色部分（第１の部位２３ａ）や、この第１の部位２３ａよりもやや薄い緑色とされた第２の部位２３ｂに比べて大きく目立ち、該部分全体が桃色の外観を呈する。
【００１７】
そして、上記時間に亘ってアイビーの地下茎を浸す工程が終了すると、次いで、上記アイビーを取り出し、地下茎や根に付着した植物着色液を水により洗い流し、上記植木鉢１に用土を用いて植える。こうした工程により、上述した図１及び図２に示す植物（アイビー）２となる。
【００１８】
なお、上記実施の形態では、植物としてアイビーを用いたが、白色ないし黄色のような薄い部位を有する植物であれば、上記アイビー以外に適用したものであっても良い。また、上記実施の形態の説明では、パレス化学株式会社の製造販売に係る商品名「ファンタジー」の「ピンク」を使用したが、植物着色液の色は、上記「ピンク」に限定されるものではなく、例えば、「レッド」、「イエロー」、「ブルー」などを使用しても良い。
【図面の簡単な説明】
【００１９】
【図１】実施の形態に係るアイビーを示す斜視図である。
【図２】図１に示すアイビーの葉を拡大して示す平面図である。
【符号の説明】
【００２０】
１    植木鉢
２    アイビー
２１    茎
２２    葉柄
２３    葉
２３ａ    第１の部位
２３ｂ    第２の部位
２３ｃ    第３の部位
２３ｄ    葉脈部分
【図１】
0003147153.tif 000003
【図２】
0003147153.tif 000004